(57)【要約】【課題】ヘッド部を前後に揺動可能にした場合に揺動軸線（枢転軸線）の配置自由度を増大させ、外刃の髭剃り面への密着性を良くし、振動を軽減し、使用感を向上させる。【解決手段】本体側１０に設けられモータ１４によって枢転軸線Ａと平行かつ交互に逆方向に往復駆動される複数の本体側オッシレータ１６と、ヘッド部１２に設けられ各内刃４８を上向きに弾性支持すると共に本体側オッシレータ１６にそれぞれ別々にかつ枢転軸線Ａ回りに相対移動可能に連結されて枢転軸線Ａと平行に往復駆動される複数のヘッド側オッシレータ３６と、を備える。【選択図】図５
2009240611.tif 000002
【特許請求の範囲】
【請求項１】
モータを内蔵する本体部の上方に、水平な枢転軸線回りに前後に揺動するヘッド部を備え、前記ヘッド部に前記枢転軸線と平行かつ前後に並設した複数の外刃と、これら外刃の内面に下方から弾接し前記モータにより往復駆動される複数の内刃とを収容した往復式電気かみそりにおいて、
前記本体側に設けられ前記モータによって前記枢転軸線と平行かつ交互に逆方向に往復駆動される複数の本体側オッシレータと、
前記ヘッド部に設けられ前記各内刃を上向きに弾性支持すると共に前記本体側オッシレータにそれぞれ別々にかつ前記枢転軸線回りに相対移動可能に連結されて前記枢転軸線と平行に往復駆動される複数のヘッド側オッシレータと、
を備えることを特徴とする往復式電気かみそり。
【請求項２】
枢転軸線はヘッド部の上部に位置する請求項１の往復式電気かみそり。
【請求項３】
前記本体側オッシレータと前記ヘッド側オッシレータとの連結部は、互いに対向する両オッシレータの一方に設けられ前記枢転軸線を中心とする円弧上に位置するスリットと、両オッシレータの他方に設けられ前記スリットに係合するシャフトとを備える請求項１または２の往復式電気かみそり。
【請求項４】
外刃および内刃を２個ずつ備え、これら内刃は２個の本体側オッシレータおよび２個のヘッド側オッシレータにより往復駆動される請求項１〜３のいずれかの往復式電気かみそり。
【発明の詳細な説明】
【技術分野】
【０００１】
この発明は、モータを内蔵する本体部の上方に設けたヘッド部を、前後方向に揺動可能に枢支した往復式電気かみそりに関するものである。
【背景技術】
【０００２】
側面視略逆Ｕ字状の外刃の内面に内刃を上向きに弾性をもって圧接しつつ往復動することによって、外刃に設けた髭導入孔に入った髭を内刃によってカットするようにした往復式電気かみそりが公知である。
【０００３】
【特許文献１】特許２１３０１５９号（特公平８-１５５０７）
【特許文献２】特許３９１６５０９号
【０００４】
特許文献１には、モータを内蔵する本体部（ハウジング１）の上方に、２個の外刃および２個の内刃を収容するヘッド部（ヘッド組立体２）を前後に揺動可能に枢支したものが開示されている。すなわち２つの内刃を１つの連結部材（１１）に保持し、本体部に収容したモータ（２５）の回転軸に固定した偏心部材（２６）によってオッシレータ（揺動部材２７）を横方向に往復動させ、このオッシレータの往復動を２つの内刃を保持する１つの連結部材（１１）に伝えるものである。
【０００５】
ここにヘッド部（２）はその上部付近を水平に横方向に通る枢転軸線（Ｚ）を中心にして主としてその下部が前後に揺動する。このため、オッシレータ（２７）と連結部材（１１）との連結部分には、連結部材（１１）の揺動を許容するための可動機構が設けられている。すなわち連結部材（１１）側に枢転軸線（Ｚ）を中心とする円弧状のＵ形凹部２４，１９を設け、オッシレータ（２７）に保持したプッシュロッド（３８）を凹部２４に上向きの弾性をもって係入させる一方、凹部１９にはオッシレータ（２７）と一体に往復動する駆動スリーブ（３０）を係入させたものである。
【０００６】
特許文献２には、２組の外刃および内刃を収容するヘッド部を水平な横向きの軸（揺動軸）を中心に前後に揺動可能に枢支したものが開示されている。すなわち揺動軸線をヘッド部の下部に配置し、ヘッド部に２つの内刃に対応する２つのオッシレータを前後に並設し、各オッシレータにそれぞれ内刃を保持する一方、本体側に収容したモータの回転軸に位相が１８０°ずれた２つの偏心カム（偏芯ピン）を設け、これらの偏心カムをそれぞれ異なるオッシレータに係合させたものである。なおこの特許文献２のものはヘッド部の角度を適宜角度に固定可能とし、所定角度に傾けて固定した状態で使用するものである。
【発明の開示】
【発明が解決しようとする課題】
【０００７】
特許文献１のものによれば、２つの内刃は共通の連結部材に保持しているため、２つの内刃と連結部材は一体となって往復動することになる。このため振動が増大するという問題がある。
【０００８】
特許文献２のものによれば、ヘッド部の揺動軸線をモータ回転軸に設けた偏心カム付近（偏芯ジョイント部付近）を通るように配置する必要がある。このためヘッド部の下部、すなわちヘッド部と本体部の連結部付近に揺動軸線を配置することになり、ヘッド部はその上部を前後に揺動させるものとなる。このため揺動軸線の配置上の設計自由度が減り、ヘッド部を前後に自由に揺動可能とした場合には外刃と髭剃り面との密着性が低下するという問題がある。
【０００９】
この発明はこのような事情に鑑みなされたものであり、ヘッド部を前後に揺動可能にした場合に揺動軸線（枢転軸線）の配置自由度を増大させ、外刃の髭剃り面への密着性を良くすることができ、また複数の内刃を交互に逆方向に往復駆動することにより振動を軽減し、使用感を向上させることができる往復式電気かみそりを提供することを目的とする。
【課題を解決するための手段】
【００１０】
この発明によればこの目的は、モータを内蔵する本体部の上方に、水平な枢転軸線回りに前後に揺動するヘッド部を備え、前記ヘッド部に前記枢転軸線と平行かつ前後に並設した複数の外刃と、これら外刃の内面に下方から弾接し前記モータにより往復駆動される複数の内刃とを収容した往復式電気かみそりにおいて、前記本体側に設けられ前記モータによって前記枢転軸線と平行かつ交互に逆方向に往復駆動される複数の本体側オッシレータと、前記ヘッド部に設けられ前記各内刃を上向きに弾性支持すると共に前記本体側オッシレータにそれぞれ別々にかつ前記枢転軸線回りに相対移動可能に連結されて前記枢転軸線と平行に往復駆動される複数のヘッド側オッシレータと、を備えることを特徴とする往復式電気かみそり、により達成される。
【発明の効果】
【００１１】
本体部側とヘッド部側とにそれぞれ複数のオッシレータを設け、本体側オッシレータをモータで往復駆動する一方、対応する本体側とヘッド側のオッシレータを互いに揺動方向に相対移動可能に連結したものであるから、枢転軸線の位置決めの制約が少なくなり設計自由度が増える。また枢転軸線の位置を適切に設定することにより各外刃の髭剃り面への密着性を向上させることができる。また複数の内刃と複数の本体側およびヘッド側のオッシレータは交互に逆方向に往復動するから、これらの各部材の加振に伴う振動が相殺され、振動が軽減される。このため外刃が肌面にフィットし低振動で快適な使用感が得られる。
【発明を実施するための最良の形態】
【００１２】
ヘッド部の枢転軸線（揺動軸線）はヘッド部の上部すなわち外刃の上面付近に設定することにより使用感を一層向上させることができる（請求項２）。すなわち外刃を肌に当てて上下に滑らせた時に、一部の外刃が肌から離れることがなく、常に全ての外刃を肌に密着させたまま滑らせることができるからである。
【００１３】
本体側オッシレータとヘッド側オッシレータの連結部は、対向する両オッシレータの対向面の一方に枢転軸線を中心とする円弧上に位置するスリットを設け、他方に設けたシャフトとをこのスリットに係合させる構成とすることができる（請求項３）。この場合にはヘッド部の揺動時にスリットとシャフトの摺動が滑らかに行われる。
【００１４】
外刃と内刃を２個ずつ備え、換言すれば外刃と内刃からなる刃ユニットを２組備える場合は、本体部側およびヘッド部側のオッシレータはこれら各組の刃ユニットに対応して２個ずつ設ける（請求項４）。刃ユニットを３組以上備える場合にはこれらオッシレータも刃ユニットの数に対応させて設け、隣接する内刃およびオッシレータを互いに逆方向に往復動させればよい。
【実施例１】
【００１５】
図１は本発明の一実施例の正面図、図２は同じく右側面図であって（Ａ）はヘッド部の直立位置を、（Ｂ）はヘッド部の傾斜位置を示す。図３は内部構造を一部省略した図２（Ａ）におけるIII-III線断面図、図４は同じく図１におけるIV-IV線断面図、図５はヘッド部を分解して示す斜視図である。また図６は図３の一部拡大図、図７は図４の一部拡大図である。
【００１６】
これらの図において符号１０は本体部、１２はヘッド部である。本体部１０には内部に電池（図示せず）、モータ１４、本体側オッシレータ１６（１６ａ、１６ｂ）などが収容され、正面側の中央付近にスイッチ１８が設けられている。本体部１０は使用者が手で握り易い形状、寸法に作られている。
【００１７】
モータ１４は、本体部１０の上方に開口するモータケース２０に収容されている（図３，４，６，７）。モータケース２０の上部は本体部１０から僅かに突出し、その上面はフランジ状に広がり、ここにはヘッド保持台２２が取付けられている。本体側オッシレータ１６は前後一対（１６ａ、１６ｂ）あって、これらは左右両側にＵ字状の可撓性連結部が形成され、これら可撓性連結部を介してモータケース２０の開口上面に固定されている。このためこれらの中央付近が左右に揺動可能である。すなわちこれら前後一対の本体側オッシレータ１６ａ、１６ｂは、それらの左右両端が重ねられてモータケース２０の上面とヘッド保持台２２との間に挟持される。そしてこのヘッド保持台２２の上面に固定する後記ヘッド支持腕３０と共に、これらを上から貫通するビス２４，２４によって本体部１０に固定される（図３，５，６）。
【００１８】
前記モータ１４の回動軸はモータケース２０内に上向きに突出し、ここに偏心カム軸２６が固定されている。偏心カム軸２６には互いに１８０°位相がずれた上下一対の偏心カムが形成され、これらの偏心カムが前記各オッシレータ１６ａ、１６ｂに形成した前後方向に長い長孔２８（２８ａ、２８ｂ）に係入している（図４，７）。このためモータ１４の回転軸が回転すると各オッシレータ１６ａ、１６ｂは左右に互いに逆方向に振動する。すなわち前後に隣接するオッシレータ１６ａ、１６ｂは交互に逆方向に往復駆動される。
【００１９】
次にヘッド部１２を説明する。ヘッド部１２は図２（Ｂ）に示すように、ヘッド部１２の上部を横向きに水平に通る枢転軸線（揺動軸線）Ａを中心にして主としてその下部が前後方向に揺動可能である。すなわち前記ヘッド保持台２２の上面には、左右が立上がるように折曲されたヘッド支持腕３０の中間水平部分が前記ビス２４により固定され、このヘッド支持腕３０の上端を通る枢転軸線Ａにヘッド部１２が枢支される。
【００２０】
ヘッド部１２は、ヘッド底板３２とヘッドカバー３４との間に収容した前後一対のヘッド側オッシレータ３６（３６ａ、３６ｂ）を備える。ヘッド側オッシレータ３６は、左右両側のＵ字状の可撓性連結部を介してその左右両端がヘッド底板３２の左右壁３２ａ、３２ａの上面とヘッドカバー３４の内面との間に挟まれている。この状態でヘッド底板３２側からヘッドカバー３４のボス部３４ａ、３４ａに挿入されるビス３８，３８で固定される。この結果ヘッド底板３２、ヘッドカバー３４、オッシレータ３６は一体化される。
【００２１】
前記ヘッド支持腕３０はヘッドカバー３４の左右に設けた空隙に下方から挿入され、ヘッドカバー３４の内側からヘッド支持腕３０の上端を通るピン４０，４０によって連結される（図３，６）。この結果ヘッドカバー３４、底板３２、オッシレータ３６は、このピン４０、４０を通る軸線、すなわち枢転軸線Ａを中心にして前後に揺動する。なおヘッド底板３２の下面は枢転軸線Ａを中心とする円筒面に形成されると共に、図５に示すように、前記ビス２４の頭との干渉を避けるために円弧状の長溝３２ｂ、３２ｂが形成されている。
【００２２】
４２は外刃枠であり、この外刃枠４２に前後一対の外刃４４，４４を下方から係入し固定した状態で外刃枠４２はヘッドカバー３４に上から装着される。前記ヘッド側オッシレータ３６ａ、３６ｂの中央上面にはそれぞれ内刃保持部４６（４６ａ、４６ｂ）が設けられ、これらの上端にそれぞれ内刃４８，４８が上向きの弾性（復帰習性）をもって保持される。このため外刃枠４２をヘッドカバー３４に装着した時に、内刃４８は内刃保持部４６による弾性をもって外刃４４の内面に押圧される。
【００２３】
ヘッド側オッシレータ３６ａ、３６ｂの下面には左右方向に離れて円弧状ブロック５０（５０ａ、５０ｂ）が一体成形されている。円弧状ブロック５０は枢転軸線Ａを中心とする円弧上に位置し、これらはヘッド底板３２に設けた窓３２ｃから下方に臨んでいる。なお窓３２ｃはこのブロック５０より十分に広く形成され、ブロック５０はこの窓３２ｃ内で枢転軸線Ａ回りに揺動可能である（図３，４，６，７）。これらブロック５０の下面には枢転軸線Ａを中心とする円弧上に下方に開くスリット５２，５２が形成されている。
【００２４】
前記本体部１０の本体側オッシレータ１６（１６ａ、１６ｂ）の上面にはシャフト５４，５４が上向きに突設されている。これらのシャフト５４，５４は、前記ヘッド保持台２２とヘッド支持腕３０にそれぞれ設けた窓を通ってヘッド底板３２の窓３２ｃ内に臨んでいる。そしてこれらのシャフト５４，５４は前記ヘッド側オッシレータ３６のブロック５０に設けたスリット５２，５２に係入している。
【００２５】
従ってモータ１４の駆動により偏心カム軸２６が回転すると、２つの本体側オッシレータ１６ａ、１６ｂは左右に交互に逆方向へ往復動する。本体側オッシレータ１６ａ、１６ｂの振動はシャフト５４，５４、スリット５２，５２を介してヘッド側オッシレータ３６ａ、３６ｂに伝えられる。このためヘッド側オッシレータ３６ａ、３６ｂに保持された内刃４８，４８が交互に左右に振動する。すなわち左右に逆位相で振動する。この結果前後一対のオッシレータ１６，３６，内刃４８の振動は互いに相殺されることになり、本体部１０やヘッド部１２の振動が少なくなる。
【００２６】
またヘッド部１２の外刃４４を髭剃り面に当てて前後に移動すると、ヘッド部１２は枢転軸線Ａを中心にして揺動する。この枢転軸線Ａはヘッド部１２の上部、すなわち外刃４４の表面付近に位置するので、ヘッド部１２は髭剃り面に倣って肌に密着しつつ揺動する。このため剃り味を良くすることができる。
【図面の簡単な説明】
【００２７】
【図１】本発明の一実施例の正面図
【図２】同じく右側面図
【図３】内部構造を一部省いたIII-III線断面図
【図４】同じくIV-IV線断面図
【図５】ヘッド部の分解斜視図
【図６】図３の一部拡大図
【図７】図４の一部拡大図
【符号の説明】
【００２８】
１０  本体部
１２  ヘッド部
１４  電気モータ
１６  本体側オッシレータ
３６  ヘッド側オッシレータ
４４  外刃
４８  内刃
５２  スリット
５４  シャフト
【図１】
2009240611.tif 000003
【図２】
2009240611.tif 000004
【図３】
2009240611.tif 000005
【図４】
2009240611.tif 000006
【図５】
2009240611.tif 000007
【図６】
2009240611.tif 000008
【図７】
2009240611.tif 000009